(57)【要約】【課題】１つの場所につき１つのビーコン装置により複数のサービスのビーコン信号の発信を運用する。【解決手段】ビーコン信号を発信するビーコン発信装置であって、複数のビーコン信号仕様の送信タイミング、送信形式および送信データの登録を受け付けて記憶部に登録する登録部と、前記記憶部に登録された送信タイミング、送信形式および送信データに基づいて、前記複数のビーコン信号仕様のビーコン信号を順次送信する送信実行部とを備える。【選択図】図２
2017194443.tif 000002
【特許請求の範囲】
【請求項１】
ビーコン信号を発信するビーコン発信装置であって、
複数のビーコン信号仕様の送信タイミング、送信形式および送信データの登録を受け付けて記憶部に登録する登録部と、
前記記憶部に登録された送信タイミング、送信形式および送信データに基づいて、前記複数のビーコン信号仕様のビーコン信号を順次送信する送信実行部と
を備えたことを特徴とするビーコン発信装置。
【請求項２】
前記送信実行部は、複数のビーコン信号仕様のビーコン信号を同時に送信する
ことを特徴とする請求項１に記載のビーコン発信装置。
【請求項３】
前記送信実行部は、ビーコン信号に暗号化したデータを含めて送信する
ことを特徴とする請求項１または２に記載のビーコン発信装置。
【請求項４】
前記複数のビーコン信号仕様に現地メンテナンスのためのビーコン信号仕様を含める
ことを特徴とする請求項１乃至３のいずれか一項に記載のビーコン発信装置。
【請求項５】
前記複数のビーコン信号仕様の送信タイミングは、ビーコン信号仕様で規定された発信間隔でスケジューリングした場合に他のビーコン信号仕様の送信タイミングと重複することとなる場合、発信間隔の短い方を優先する
ことを特徴とする請求項１乃至４のいずれか一項に記載のビーコン発信装置。
【請求項６】
前記複数のビーコン信号仕様の送信タイミングは、ビーコン信号仕様で規定された発信間隔でスケジューリングした場合に他のビーコン信号仕様の送信タイミングと重複することとなる場合、発信間隔の長い方を空き時間に移動する
ことを特徴とする請求項１乃至４のいずれか一項に記載のビーコン発信装置。
【請求項７】
外部から到来するビーコン信号を受信する受信部と、
外部から到来するビーコン信号の干渉を除去するために、前記送信タイミングまたは送信形式を修正する修正部と
を備えたことを特徴とする請求項１乃至６のいずれか一項に記載のビーコン発信装置。
【請求項８】
ビーコン信号を発信するビーコン発信装置と該ビーコン発信装置を管理するサーバ装置とを備え、
前記ビーコン発信装置は、
複数のビーコン信号仕様の送信タイミング、送信形式および送信データの登録を受け付けて記憶部に登録する登録部と、
前記記憶部に登録された送信タイミング、送信形式および送信データに基づいて、前記複数のビーコン信号仕様のビーコン信号を順次送信する送信実行部とを備え、
前記サーバ装置は、
受注したビーコンサービス情報に基づいて前記複数のビーコン信号仕様の送信タイミング、送信形式および送信データを生成する情報生成部と、
所定のタイミングで前記複数のビーコン信号仕様の送信タイミング、送信形式および送信データを前記ビーコン発信装置に送信する通信部を備えたことを特徴とするビーコン発信システム。
【請求項９】
ビーコン信号を発信するビーコン発信装置が実行する方法であって、
複数のビーコン信号仕様の送信タイミング、送信形式および送信データの登録を受け付けて記憶部に登録する登録工程と、
前記記憶部に登録された送信タイミング、送信形式および送信データに基づいて、前記複数のビーコン信号仕様のビーコン信号を順次送信する送信実行工程と
を備えたことを特徴とするビーコン発信方法。
【請求項１０】
ビーコン信号を発信するビーコン発信装置を構成するコンピュータを、
複数のビーコン信号仕様の送信タイミング、送信形式および送信データの登録を受け付けて記憶部に登録する登録部、
前記記憶部に登録された送信タイミング、送信形式および送信データに基づいて、前記複数のビーコン信号仕様のビーコン信号を順次送信する送信実行部
として機能させるビーコン発信プログラム。
【発明の詳細な説明】
【技術分野】
【０００１】
本発明は、ビーコン発信装置、ビーコン発信システム、ビーコン発信方法およびビーコン発信プログラムに関する。
【背景技術】
【０００２】
近年、スーパーマーケット、コンビニエンスストア、百貨店、専門店等の施設に、ユーザが携帯する端末装置にビーコン信号を送信可能なビーコン装置（ビーコン発信装置）が配置され、様々なサービスが提供されるようになってきた。ビーコン装置からビーコン信号を受信した端末装置は、端末装置にインストールされたアプリケーションにより、ビーコン信号に基づいて商品情報を取得し、端末装置の表示部に商品情報を表示することができる。
【０００３】
また、カーナビゲーションシステムや、スマートフォンなどを中心にＧＰＳ（Global Positioning System）を利用した位置情報サービスが普及している。しかし、ＧＰＳは衛星電波を利用した測位技術であるため、屋内や地下といった電波の届かない場所では使用することができない。そのため、屋内で位置情報サービスを実現しようとすれば、屋内測位技術といったＧＰＳ以外の測位技術が必要になる。この点、屋内や地下のようにＧＰＳを用いた測位が行えない環境において、ビーコン装置からのビーコン信号を受信することにより、ビーコン装置の位置を基準として加速度センサや地磁気センサ等が統合された慣性装置による演算により、歩行者の位置を推定する歩行者自律航法（ＰＤＲ：Pedestrian Dead Reckoning）が既に知られている。
【０００４】
このように、ビーコン装置を利用したサービスはますます普及していくと考えられ、ビーコン装置をいかに効率的に設置していくかということが重要になる。
【０００５】
一方、多数のビーコン装置が設置された環境において、識別情報のスキャンに要する時間を短くするために、受信対象とするビーコン装置を設置位置情報を用いて限定する技術が開示されている（例えば、特許文献１等を参照）。
【発明の概要】
【発明が解決しようとする課題】
【０００６】
ビーコン装置を利用したサービスを新たに提供しようとする場合、新たなビーコン装置を設置することになるが、一般にサービスを提供する価値の高い場所には既に別のビーコン装置がいくつも設置されている可能性が高く、新たな設置は容易ではない。すなわち、設置工事や設置後のメンテナンス等の設置コストの他に、既存のビーコン装置が存在することによる設置場所の不足、電源取り出し箇所の不足、電波干渉（ビーコン信号が非同期に送信されることに起因）等により、設置場所を確保するのが困難である。
【０００７】
本発明は上記の従来の問題点に鑑み提案されたものであり、その目的とするところは、１つの場所につき１つのビーコン装置により複数のサービスのビーコン信号の発信を運用できるようにすることにある。
【課題を解決するための手段】
【０００８】
上記の課題を解決するため、本発明にあっては、ビーコン信号を発信するビーコン発信装置であって、複数のビーコン信号仕様の送信タイミング、送信形式および送信データの登録を受け付けて記憶部に登録する登録部と、前記記憶部に登録された送信タイミング、送信形式および送信データに基づいて、前記複数のビーコン信号仕様のビーコン信号を順次送信する送信実行部とを備える。
【発明の効果】
【０００９】
本発明にあっては、１つの場所につき１つのビーコン装置により複数のサービスのビーコン信号の発信を運用することができる。
【図面の簡単な説明】
【００１０】
【図１】本発明の第１の実施形態にかかるシステムの構成例を示す図である。
【図２】ビーコン装置の機能構成例を示す図である。
【図３】ビーコン装置のより具体的な機能構成例を示す図である。
【図４】コンテンツサーバの機能構成例を示す図である。
【図５】移動端末の機能構成例を示す図である。
【図６】ビーコン管理サーバの機能構成例を示す図である。
【図７】ビーコン装置のハードウェア構成例を示す図である。
【図８】コンテンツサーバおよびビーコン管理サーバのハードウェア構成例を示す図である。
【図９】移動端末のハードウェア構成例を示す図である。
【図１０】第１の実施形態の処理例を示すシーケンス図である。
【図１１】ビーコン設置情報の構造例を示す図である。
【図１２】ビーコンサービス情報の例を示す図（その１）である。
【図１３】ビーコンサービス情報の例を示す図（その２）である。
【図１４】ビーコンサービス情報の例を示す図（その３）である。
【図１５】送信タイミングの例を示す図である。
【図１６】第２の実施形態におけるビーコン装置の機能構成例を示す図である。
【図１７】第２の実施形態の処理例を示すシーケンス図である。
【図１８】干渉情報の例を示す図である。
【図１９】送信タイミングの例を示す図である。
【図２０】第３の実施形態におけるビーコン装置の機能構成例を示す図である。
【図２１】第３の実施形態におけるビーコン管理サーバの機能構成例を示す図である。
【図２２】第３の実施形態の処理例を示すシーケンス図である。
【発明を実施するための形態】
【００１１】
以下、本発明の好適な実施形態につき説明する。
【００１２】
＜第１の実施形態＞
［構成］
図１は本発明の第１の実施形態にかかるシステムの構成例を示す図である。図１において、屋内または屋外には、ビーコン信号を発信（送信）する複数（多数）のビーコン装置１（１Ａ、１Ｂ、１Ｃ、・・）が設置され、これらのビーコン装置１はネットワーク２に有線または無線により接続されている。ビーコン装置１としては、ＢＬＥ（Bluetooth Low Energy）装置やＷＩＦＩ装置が用いられる。ＢＬＥやＷＩＦＩは規格化されているため、ＢＬＥやＷＩＦＩに準じることで、顧客からビーコン信号送信を受注するビジネスの運営が容易になる。また、ＢＬＥやＷＩＦＩに順ずることにより、システム構築を容易にすることができる。なお、ＢＬＥやＷＩＦＩの他に、音波（超音波）によりビーコン信号を送信することもできる。
【００１３】
また、ネットワーク２には、サービスまたはサービス群毎に個別に管理され、ビーコン信号に含まれるデータに対応するコンテンツを提供するコンテンツサーバ３（３Ａ、３Ｂ、３Ｃ、・・）が接続されている。屋内または屋外においてビーコン装置１に接近したスマートフォン等の移動端末４（４Ａ、４Ｂ、・・）は、ビーコン信号を受信し、内部のアプリケーションの動作によりネットワーク２を介して対応するコンテンツサーバ３にアクセスし、サービスに応じたコンテンツを取得することができる。また、ネットワーク２には、複数のビーコン装置１を管理するビーコン管理サーバ５が接続されている。
【００１４】
図２はビーコン装置１（１Ａ、１Ｂ、１Ｃ、・・）の機能構成例を示す図である。図２において、ビーコン装置１は、メンテナンス通信部１１とビーコン送信実行部１５とを備えている。メンテナンス通信部１１は、所定のタイミングでビーコン管理サーバ５から複数のビーコンサービスに対応する複数のビーコン信号仕様の送信タイミング、送信形式および送信データを受信し、送信タイミング記憶部１２、送信形式記憶部１３および送信データ記憶部１４に登録する機能を有している。なお、送信タイミング記憶部１２、送信形式記憶部１３および送信データ記憶部１４は、各ビーコンサービスについてビーコン信号仕様と送信タイミングと送信形式と送信データとが対応付けられていればよく、１つのテーブル形式で記憶してもよいし、複数のテーブル形式で記憶してもよい。
【００１５】
ビーコン送信実行部１５は、各ビーコンサービスについて、送信タイミング記憶部１２に登録された送信タイミングに従い、送信形式記憶部１３に登録された送信形式で、送信データ記憶部１４に登録された送信データをビーコン信号として周囲に送信（発信）する機能を有している。
【００１６】
図３はビーコン装置１のより具体的な機能構成例を示す図である。図３において、ビーコン送信実行部１５は、ＢＬＥで用意された３つのアドバタイジングチャンネル「３７」「３８」「３９」と、スピーカにより発する音波とを用いている。ＢＬＥでは計４０チャンネルのうちの３つのチャンネルをデバイス発見のためのアドバタイジングチャンネルに割り当てており、残りの３７チャンネルをデータ通信用のデータチャンネルに割り当てている。音波については１個だけとなっている。スマートフォン等の移動端末４に内蔵されているマイクはほぼ可聴音の周波数帯域であり、通常の使用で非可聴音に複数のチャンネルを設定するのは困難であるためである。３つのアドバタイジングチャンネル「３７」「３８」「３９」と音波は、同時にビーコン信号を送信することが可能であり、同じビーコンサービスのビーコン信号を同時に送信してもよいし、異なるビーコンサービスのビーコン信号を同時に送信してもよい。複数のチャンネルや音波で複数のビーコンサービスのビーコン信号を同時に送信することで、大量のビーコン信号送信の受注を効率的に運用することができる。
【００１７】
図４はコンテンツサーバ３（３Ａ、３Ｂ、３Ｃ、・・）の機能構成例を示す図である。図４において、コンテンツサーバ３はコンテンツ提供部３１を備えている。コンテンツ提供部３１は、移動端末４からビーコン信号に含まれるビーコン装置１を特定するデータを受信すると、コンテンツＤＢ３２を参照して対応するコンテンツを取得し、要求元の移動端末４に返送する機能を有している。
【００１８】
図５は移動端末４（４Ａ、４Ｂ、・・）の機能構成例を示す図である。図５において、移動端末４は、ビーコン受信部４１とビーコン利用アプリ４２とを備えている。ビーコン受信部４１は、ＢＬＥやＷＩＦＩ等の規格に従ってビーコン装置１から送信されるビーコン信号を受信する機能を有しており、スマートフォン等においては標準的に搭載されているものである。ビーコン受信部４１は、予め登録されたビーコンＩＤを含むビーコン信号を受信した場合にのみ、受信したビーコン信号のデータをビーコン利用アプリ４２に引き渡す。ビーコン利用アプリ４２は、ビーコンサービスの提供者等から提供される専用のアプリケーションであり、ビーコン信号に含まれるデータに基づいてコンテンツサーバ３にアクセスし、サービスに対応するコンテンツを取得する機能を有している。
【００１９】
図６はビーコン管理サーバ５の機能構成例を示す図である。図６において、ビーコン管理サーバ５は、情報管理部５１とビーコン別情報生成部５４とメンテナンス通信部５６とを備えている。情報管理部５１は、管理下にあるビーコン装置１の設置位置等を含むビーコン設置情報をビーコン設置情報記憶部５２に登録するとともに、受注したビーコンサービスの詳細情報（ビーコンサービス情報）をビーコンサービス情報記憶部５３に登録する機能を有している。ビーコン別情報生成部５４は、ビーコン設置情報記憶部５２に登録されているビーコン設置情報とビーコンサービス情報記憶部５３に登録されているビーコンサービス情報とに基づいて、ビーコン装置１毎に設定情報（ビーコン別情報）を生成し、ビーコン別情報記憶部５５に登録する機能を有している。メンテナンス通信部５６は、ビーコン別情報記憶部５５に登録されたビーコン別情報に基づいてビーコン装置１に対して設定を行う機能を有している。また、メンテナンス通信部５６は、メンテナンス通信の結果をメンテナンス結果記憶部５７に登録する。各情報の詳細については後述する。
【００２０】
図７はビーコン装置１のハードウェア構成例を示す図である。図７において、ビーコン装置１は、バス１００を介して相互に接続されたＣＰＵ（Central Processing Unit）１０１、ＲＯＭ（Read Only Memory）１０２、ＲＡＭ（Random Access Memory）１０３、ＨＤＤ（Hard Disk Drive）／ＳＳＤ（Solid State Drive）１０４を備えている。ＣＰＵ１０１は、ＲＡＭ１０３をワークエリアとしてＲＯＭ１０２またはＨＤＤ／ＳＳＤ１０４等に格納されたプログラムを実行することで、ビーコン装置１の動作を統括的に制御する。
【００２１】
また、ビーコン装置１は、入出力Ｉ／Ｆ（Interface）１０５、無線ＬＡＮ ＡＰ（Local Area Network Access Point）部１０６、ＢＬＥ通信部１０７、スピーカ部１０８を備えている。入出力Ｉ／Ｆ１０５は、ユーザ操作等を受け付けるインタフェースである。無線ＬＡＮ ＡＰ部１０６は、無線ＬＡＮを介して他の情報処理装置と通信を行うためのインタフェースであり、ＷＩＦＩ等の規格によるビーコン信号を送信するために用いられる。ＢＬＥ通信部１０７は、ＢＬＥにより通信を行う部分であり、ＢＬＥの規格によるビーコン信号を送信するために用いられる。スピーカ部１０８は、超音波信号を送信する部分であり、音波によるビーコン信号を送信するために用いられる。
【００２２】
また、電源部１０９は、ビーコン装置１内の各部に電源を供給する部分であり、電池、太陽電池、ＵＳＢ（Universal Serial Bus）給電、ＰｏＥ（Power over Ethernet）給電など、いずれでもよい。
【００２３】
図２または図３で説明したビーコン装置１の機能は、ＣＰＵ１０１において所定のプログラムが実行されることで実現される。プログラムは、記録媒体を経由して取得されるものでもよいし、ネットワークを経由して取得されるものでもよいし、ＲＯＭ組込でもよい。また、図２または図３で説明した各種の情報は、一時的にはＲＡＭ１０３に記憶され、永続的にはＨＤＤ／ＳＳＤ１０４に記憶される。
【００２４】
図８はコンテンツサーバ３およびビーコン管理サーバ５のハードウェア構成例を示す図である。図８において、コンテンツサーバ３等は、バス３００を介して相互に接続されたＣＰＵ３０１、ＲＯＭ３０２、ＲＡＭ３０３、ＨＤＤ／ＳＳＤ３０４を備えている。ＣＰＵ３０１は、ＲＡＭ３０３をワークエリアとしてＲＯＭ３０２またはＨＤＤ／ＳＳＤ３０４等に格納されたプログラムを実行することで、コンテンツサーバ３等の動作を統括的に制御する。
【００２５】
また、コンテンツサーバ３等は、操作部３０５、表示部３０６、通信部３０７、入出力Ｉ／Ｆ３０８を備えている。操作部３０５は、ユーザ操作を受け付ける部分である。表示部３０６は、ユーザに対して操作メニューや処理状態等の表示を行う部分である。通信部３０７は、他の情報処理装置と通信を行う部分である。入出力Ｉ／Ｆ３０８は、外部デバイス等との間でデータの入出力を行うインタフェースである。
【００２６】
図４および図６で説明したコンテンツサーバ３等の機能は、ＣＰＵ３０１において所定のプログラムが実行されることで実現される。プログラムは、記録媒体を経由して取得されるものでもよいし、ネットワークを経由して取得されるものでもよいし、ＲＯＭ組込でもよい。また、図４および図６で説明した各種の情報は、一時的にはＲＡＭ３０３に記憶され、永続的にはＨＤＤ／ＳＳＤ３０４に記憶される。
【００２７】
図９は移動端末４のハードウェア構成例を示す図である。図９において、移動端末４は、バス４００を介して相互に接続されたＣＰＵ４０１、ＲＯＭ４０２、ＲＡＭ４０３、ＨＤＤ／ＳＳＤ４０４を備えている。ＣＰＵ４０１は、ＲＡＭ４０３をワークエリアとしてＲＯＭ４０２またはＨＤＤ／ＳＳＤ４０４等に格納されたプログラムを実行することで、移動端末４の動作を統括的に制御する。
【００２８】
また、移動端末４は、表示部４０５、カメラ部４０６、マイクロフォン部４０７、スピーカ部４０８、無線通信部４０９、入出力Ｉ／Ｆ４１０、無線ＬＡＮ通信部４１１、ＢＬＥ通信部４１２を備えている。表示部４０５は、ユーザに対して操作メニューや処理状態等の表示を行う部分である。カメラ部４０６は、内蔵カメラにより撮影を行う部分である。マイクロフォン部４０７は、内蔵マイクロフォンにより音声の取得を行う部分である。スピーカ部４０８は、音声を出力する部分である。無線通信部４０９は、音声通信またはデータ通信を行う部分である。入出力Ｉ／Ｆ４１０は、外部デバイス等との間でデータの入出力を行うインタフェースである。無線ＬＡＮ通信部４１１は、無線ＬＡＮにより他の装置と通信を行う部分である。ＢＬＥ通信部４１２は、ＢＬＥにより他の装置と通信を行う部分である。
【００２９】
図５で説明した移動端末４の機能は、ＣＰＵ４０１において所定のプログラムが実行されることで実現される。プログラムは、記録媒体を経由して取得されるものでもよいし、ネットワークを経由して取得されるものでもよいし、ＲＯＭ組込でもよい。また、図５で説明した各種の情報は、一時的にはＲＡＭ４０３に記憶され、永続的にはＨＤＤ／ＳＳＤ４０４に記憶される。
【００３０】
［動作］
図１０は上記の第１の実施形態の処理例を示すシーケンス図である。図１０において、ビーコン管理サーバ５の運用者は、運用の初期時点または新規にビーコン装置１を設置した時点で、ビーコン管理サーバ５に対してビーコン設置情報の登録操作を行う（ステップＳ１０１）。ビーコン管理サーバ５の情報管理部５１は、ビーコン設置情報の登録操作を受け付け、ビーコン設置情報記憶部５２にビーコン設置情報を登録する（ステップＳ１０２）。図１１はビーコン設置情報の構造例を示す図であり、「ビーコン装置ＩＤ」「設置場所種別」「設置場所」等の項目を有している。「ビーコン装置ＩＤ」は、ビーコン装置１を識別する情報である。「設置場所種別」は、該ビーコン装置１が設置される場所の種別を示す情報である。「設置場所種別」は、例えば、「屋内」「屋外」「駅周辺」「地下鉄周辺」「地下街」「駅前」「○○ホテル付近」「○○ストア付近」「○○居酒屋内」「○○店舗内」等がある。「設置場所」は、設置場所の緯度経度や住所等を示す情報である。
【００３１】
図１０に戻り、ビーコン管理サーバ５の運用者は、ビーコンサービスの受注をとりまとめる時点で、ビーコン管理サーバ５に対してビーコンサービス情報の登録操作を行う（ステップＳ１０３）。ビーコン管理サーバ５の情報管理部５１は、ビーコンサービス情報の登録操作を受け付け、ビーコンサービス情報記憶部５３にビーコンサービス情報を登録する（ステップＳ１０４）。
【００３２】
図１２〜図１４はビーコンサービス情報の例を示す図である。なお、ビーコン信号はＢＬＥで送信する場合のみとしている。図１２は、ビーコンサービスとしてナビサービス（ナビゲーションサービス）に関するビーコンサービス情報の例を示している。図１３は、ビーコンサービスとして広告配信サービスに関するビーコンサービス情報の例を示している。図１４は、ビーコン装置１の設置場所でビーコン信号が正常に送信されているか否かを確認するためのメンテナンスのためのビーコンサービス情報の例を示している。図１２〜図１４において、ビーコンサービス情報は、「受注No.」「受注会社名」「場所」「配信時間帯（時期）」「発信間隔（秒）」の項目を有している。また、ビーコンサービス情報は、「出力形式（データ仕様）」「UUID」「Major」「Minor」「Namespace ID」「Instance ID」「URL Scheme」「出力[dbm]」「暗号化」「暗号キー」「ビーコンデータ配信料金［円］」の項目を有している。
【００３３】
図１２において、「受注No.」は、受注を管理している番号である。その他の項目については、「受注No.」が「１」の案件について説明する。「受注会社名」は、ナビサービス向けビーコンサービスを受注した会社名：Ａナビ社を示している。「場所」は、受注したデータ送信を行うビーコンの場所（範囲）：屋内外全ビーコン（設置してある屋内外全てのビーコンでデータ送信）を示している。「配信時間帯（時期）」は、データ送信を行う時間帯（時期）：全日、２４時間（毎日、２４時間連続）を示している。「発信間隔（秒）」は、データ送信を行う間隔：0.1秒以内に１回（0.1秒間隔）を示している。なお、発信間隔を正確に守ると他の受注No.のデータ送信と重複する場合もあるので、守るのは、最低発信間隔としている。「出力形式（データ仕様）」は、データ送信の形式：iBeacon（iBeacon仕様でデータ送信）を示している。iBeaconはApple社によるＢＬＥのアドバタイジングパケットを利用したビーコン向けの規格であり、ＩＤ情報はproximityUUID、Major、Minorの３種類の識別子で構成されている。なお、詳細は「ｉＢｅａｃｏｎとは」（http://smartphone-ec.net/ibeacon/system.html）、「ＢＬＥの物理層」（http://reinforce-lab.github.io/blog/2013/02/06/ble-phy-layler/）等を参照されたい。
【００３４】
「UUID」は、ユニークなＩＤ：Ａナビ社（Ａナビ社用ＩＤ）を示している。「Major」は、座標Ｘを示し、「Minor」は、座標Ｙを示している。「Major」と「Minor」でこのビーコンのユニークなＩＤを設定する（データ仕様は各社各様で可）。「出力[dbm]」は、データ送信を行う時に設定する出力：0(0dbm)を示している。「暗号化」は、データ送信を暗号化するかどうか：ある（暗号化する）を示している。暗号化を行うことで、ただ乗りやなりすましを防止することができる。「暗号キー」は、データ送信を解読するキー：Ａ社用（Ａ社専用の暗号解読キー）を示している。暗号キーを顧客側で管理することで、ビーコン信号に含まれるデータを顧客毎に秘密にすることができる。「ビーコンデータ配信料金［円］」は、受注したナビサービス会社向けビーコンサービス料金：??????????（ビーコン使用場所・時間が多いので料金高）を示している。
【００３５】
図１３において、「受注No.」が「1002」の案件について説明する。「受注会社名」は、ナビサービス会社向けビーコンサービスを受注した会社名：Ａタクシーを示している。「場所」は、受注したデータ送信を行うビーコンの場所（範囲）：全駅前ビーコン（設置してある駅前の全てのビーコンでデータ送信）を示している。「配信時間帯（時期）」は、データ送信を行う時間帯（時期）：全日、終電後（毎日、例えば２３時以降２４時まで）を示している。「発信間隔（秒）」は、データ送信を行う間隔：１秒以内に１回（１秒間隔）を示している。なお、発信間隔を正確に守ると他の受注No.のデータ送信と重複する場合もあるので、守るのは、最低発信間隔としている。「出力形式（データ仕様）」は、データ送信の形式：Eddystone1（Eddystone1仕様でデータ送信）を示している。EddystoneはGoogle社によるＢＬＥのアドバタイジングパケットを利用したビーコン向けの規格であり、iBeaconに最も近いフレームのEddystone1と、UrlBeaconの概念を取り入れたEddystone2と、Eddystoneの状態を送出するフレームのEddystone3という、３つのフレームタイプがある。Eddystone1はiBeaconのUUIDに相当するNamespace IDと、iBeaconのMajor、Minorに相当するInstance IDを規定している。なお、詳細は「ＧｏｏｇｌｅのＥｄｄｙｓｔｏｎｅとはなんなのか」（http://dev.classmethod.jp/smartphone/eddystone/）等を参照されたい。
【００３６】
「Namespace ID」は、ユニークなＩＤ：Ａタクシー（Ａタクシー用ＩＤ）を示している。「Instance ID」は、広告ＡＡ'（広告ＡＡ'を表示）を示している。「出力[dbm]」は、データ送信を行う時に設定する出力：0(0dbm)を示している。「暗号化」は、データ送信を暗号化するかどうか：なし（暗号化しない）を示している。「ビーコンデータ配信料金［円］」は、受注した広告配信向けビーコンサービス料金：？（ビーコン使用場所・時間が少ないので料金低）を示している。
【００３７】
図１４のメンテナンスのためのビーコンサービス情報は、「場所」が屋内外全ビーコン、「配信時間帯（時期）」と「発信間隔（秒）」が空き時間で、「出力形式（データ仕様）」がEddystone3、「出力[dbm]」が０、「暗号化」がなしとなっている。ビーコン管理サーバ５は各ビーコン装置１と適宜にメンテナンス通信を行っているのでビーコン装置１の稼動状況の把握は可能であるが、この情報により送信されるビーコン信号は、本当にビーコン信号が送信されているか否かの現場でのメンテナンスなどとして使用される。ここでは、受注会社の出力形式によらず図１２および図１３による送信の空き時間に出力形式Eddystone3にてビーコン信号が送信されるものとしている。空き時間に現地メンテナンス用のビーコン信号を送信することで、システム稼動のまま現地メンテナンスを行うことが可能となる。また、メンテナンスのビーコン信号仕様（データ）を他の受注したサービスの仕様によらず統一することで、メンテナンスが容易となる。
【００３８】
図１０に戻り、ビーコン管理サーバ５のビーコン別情報生成部５４は、所定のタイミングで、ビーコン装置１毎にビーコンサービス情報から各サービスの送信形式および送信データを抽出し、送信タイミングを生成（スケジューリング）してビーコン別情報記憶部５５に登録する（ステップＳ１０５）。すなわち、ビーコンサービス情報（図１２〜図１４）の「場所」を各ビーコン装置１のビーコン設置情報（図１１）と照合して、ビーコン装置１毎に対象となるサービスの「受注No.」を特定する。そして、ビーコンサービス情報から送信形式および送信データを抽出し、送信のスケジューリングを行って送信タイミングを生成する。送信形式としては、「出力形式（データ仕様）」等を抽出する。送信データとしては、「UUID」「Major」「Minor」「Namespace ID」「Instance ID」「URL Scheme」「出力[dbm]」等を抽出する。
【００３９】
図１５は送信タイミングの例を示す図であり、図１２〜図１４における全ての受注案件を順次に送信する場合の例である。黒丸は、ビーコン信号が送信されるタイミングを示している。この例では、ビーコン信号のデータ送信能力を１秒間に１００データ（１データ10mS）としている。
【００４０】
また、時間「1.0」付近に丸で囲んだ部分は、発信間隔だけからスケジューリングを行うと送信タイミングがかぶってしまうため、調整を行っている。すなわち、受注No.1001、1002（発信間隔１秒）は本来であれば白丸の位置で送信すれば１秒間隔となるが、受注No.３、４（発信間隔0.2秒）の送信と重複するので、発信間隔が短い方（受注No.３、４）を優先させ、受注No.1001、1002の方を黒丸の位置で送信を行うようにしている。手前の空き時間である図中の「空き」で処理することで、最低発信間隔を守っている。なお、後ろの時間で処理を行なってもよい。これにより、１つのビーコン装置１で最低発信間隔を守り、発信間隔精度をある程度維持しながらビーコン信号を送信することができる。また、図１４のメンテナンスのためのビーコン信号の送信についても、時間0.29、0.39、0.49、・・のタイミングで実行されるようにスケジューリングされている。
【００４１】
図１０に戻り、ビーコン別情報生成部５４によりビーコン別情報がビーコン別情報記憶部５５に登録されると、メンテナンス通信部５６は、メンテナンス結果記憶部５７の過去のメンテナンス結果を考慮し、ビーコン装置１毎に各サービスの送信形式、送信データおよび送信タイミングを送信する（ステップＳ１０６）。メンテナンス結果を考慮するとは、対象となるビーコン装置１について、どこまでのデータを送信して設定してあるかをメンテナンス結果から得ることにより、それとの差分を送信することを意味している。
【００４２】
ビーコン装置１のメンテナンス通信部１１は、ビーコン管理サーバ５から各サービスの送信形式、送信データおよび送信タイミングを受信すると、送信タイミング記憶部１２、送信形式記憶部１３および送信データ記憶部１４に受信したデータを設定する（ステップＳ１０７）。また、メンテナンス通信部１１は、必要に応じて、正常にデータの登録を行えたか否か等を応答する（ステップＳ１０８）。
【００４３】
ビーコン管理サーバ５のメンテナンス通信部５６は、各ビーコン装置１に設定が完了したデータを特定する情報をメンテナンス結果としてメンテナンス結果記憶部５７に登録する（ステップＳ１０９）。
【００４４】
その後、運用時において、ビーコン装置１のビーコン送信実行部１５は、送信タイミング記憶部１２の送信タイミングに基づき、送信形式記憶部１３の送信形式で、送信データ記憶部１４の送信データをビーコン信号として周囲に順次送信（発信）する（ステップＳ１１０）。
【００４５】
ビーコン装置１の周辺にいる移動端末４がビーコン信号を受信すると（ステップＳ１１１）、移動端末４に予め登録されているビーコン装置１である場合、ビーコン信号に含まれるデータが抽出されてビーコン利用アプリ４２に引き渡される（ステップＳ１１２）。
【００４６】
そして、ビーコン利用アプリ４２は、対応するコンテンツサーバ３に対してコンテンツを要求し（ステップＳ１１３）、コンテンツサーバ３はコンテンツを応答する（ステップＳ１１４）。
【００４７】
例えば、図１２のナビサービス向けビーコンサービスの受注No.1の場合、Ａナビ社が作ったビーコン利用アプリ４２が移動端末４にインストールされ稼動しているとする。移動端末４は、ビーコン信号からUUIDを取得すると、ビーコン装置１のUUID（Ａナビ社）と暗号化されているMajor（座標Ｘ）、Minor（座標Ｙ）を用い、Ａナビ社のコンテンツサーバ３にビーコン装置１の位置座標を問い合わせる（リクエスト）。コンテンツサーバ３は、受信した暗号化されているMajor（座標Ｘ）、Minor（座標Ｙ）をＡ社用の暗号キーで復号してビーコン装置１を特定し、ビーコン装置１の位置座標を移動端末４に返信（レスポンス）する。移動端末４は、受信した位置座標に基づき、地図上に現在位置を表示する。
【００４８】
また、図１３の広告配信向けビーコンサービスの受注の受注No.1002の場合、Ａタクシーが作ったビーコン利用アプリ４２が移動端末４にインストールされ稼動（バックグランド）しているとする。移動端末４は、ビーコン信号からNamespace ID（Ａタクシー）を受信すると、Instance IDによりビーコン装置１を特定でき、このInstance IDを用い、Ａタクシーのコンテンツサーバ３に問い合わせを行う。コンテンツサーバ３は、受信したInstance IDに基づき、ビーコン装置１の場所や移動端末４のユーザの過去のＡタクシー利用度等に応じた割引クーポン等を移動端末４に返信し、移動端末４はその表示を行う。
【００４９】
＜第２の実施形態＞
外部から到来するビーコンによる干渉の影響を除去する機能を持たせた実施形態について説明する。本実施形態における、システム構成は図１に示したものと同様であり、コンテンツサーバ３、移動端末４およびビーコン管理サーバ５の機能構成は図４〜図６に示したものと同様である。また、各装置のハードウェア構成は図７〜図９に示したものと同様である。
【００５０】
図１６は第２の実施形態におけるビーコン装置１の機能構成例を示す図である。図１６において、ビーコン装置１は、メンテナンス通信部１１とビーコン送信実行部１５とビーコン受信部１６１と固定ビーコン判定部１６２とスケジュール生成部（修正部）１６６とを備えている。
【００５１】
メンテナンス通信部１１は、所定のタイミングでビーコン管理サーバ５から複数のビーコンサービスに対応する複数のビーコン信号仕様の送信タイミング、送信形式および送信データを受信し、送信タイミング記憶部１２、送信形式記憶部１３および送信データ記憶部１４に登録する機能を有している。なお、送信タイミング記憶部１２、送信形式記憶部１３および送信データ記憶部１４は、各ビーコンサービスについてビーコン信号仕様と送信タイミングと送信形式と送信データとが対応付けられていればよく、１つのテーブル形式で記憶してもよいし、複数のテーブル形式で記憶してもよい。
【００５２】
ビーコン受信部１６１は、外部から到来するビーコンを受信し、受信したビーコンの受信タイミング、受信形式および受信データを取得する機能を有している。固定ビーコン判定部１６２は、受信されたビーコンが固定局から送信されたものであるか否かを判定し、固定局から送信されたものであると判定した場合、ビーコンの受信タイミング、受信形式および受信データを干渉情報として受信タイミング記憶部１６３、受信形式記憶部１６４および受信データ記憶部１６５に登録する機能を有している。移動局から送信されたビーコンは偶然に干渉するとしても、継続的な干渉は生じないため、固定局から送信されるビーコンだけを対象とするようにしている。
【００５３】
固定ビーコン判定部１６２は、例えば、ビーコン受信部１６１により受信されたビーコンの受信信号強度（ＲＳＳＩ：Received Signal Strength Indicator）からビーコン装置１と送信元の間の距離を計算し、所定の時間にわたって距離の変化を監視し、所定の閾値を超える変化がなければ固定局であると判定する。ＲＳＳＩはビーコン送信元からの距離が大きくなるほど小さい値をとり、距離をｒ、距離ｒが１ｍ付近の場合に計測されるＲＳＳＩをＡ、電波の減衰の度合いを表す定数をＢ（理論的には「２」）とすると、
ＲＳＳＩ（ｒ）＝Ａ−１０Ｂｌｏｇ１０（ｒ）
の関係式に従うとされる。この式から、距離ｒは、
ｒ＝１０（Ａ−ＲＳＳＩ）／１０Ｂ
により計算することができる。
【００５４】
スケジュール生成部１６６は、所定のタイミングで、受信タイミング記憶部１６３および受信形式記憶部１６４を参照し、既にビーコン管理サーバ５から受信して送信タイミング記憶部１２、送信形式記憶部１３等に登録されているスケジュールを修正（最終的に生成）する機能を有している。
【００５５】
ビーコン送信実行部１５は、各ビーコンサービスについて、送信タイミング記憶部１２に登録された送信タイミングに従い、送信形式記憶部１３に登録された送信形式で、送信データ記憶部１４に登録された送信データをビーコン信号として周囲に送信（発信）する機能を有している。
【００５６】
図１７は第２の実施形態の処理例を示すシーケンス図である。図１７において、ビーコン管理サーバ５の運用者は、運用の初期時点または新規にビーコン装置１を設置した時点で、ビーコン管理サーバ５に対してビーコン設置情報の登録操作を行う（ステップＳ１２１）。ビーコン管理サーバ５の情報管理部５１は、ビーコン設置情報の登録操作を受け付け、ビーコン設置情報記憶部５２にビーコン設置情報を登録する（ステップＳ１２２）。ビーコン設置情報は図１１に示したものと同様である。
【００５７】
図１７に戻り、ビーコン管理サーバ５の運用者は、ビーコンサービスの受注をとりまとめる時点で、ビーコン管理サーバ５に対してビーコンサービス情報の登録操作を行う（ステップＳ１２３）。ビーコン管理サーバ５の情報管理部５１は、ビーコンサービス情報の登録操作を受け付け、ビーコンサービス情報記憶部５３にビーコンサービス情報を登録する（ステップＳ１２４）。ビーコンサービス情報は図１２〜図１４に示したものと同様である。
【００５８】
図１７に戻り、ビーコン管理サーバ５のビーコン別情報生成部５４は、所定のタイミングで、ビーコン装置１毎にビーコンサービス情報から各サービスの送信形式および送信データを抽出し、送信タイミングを生成（スケジューリング）してビーコン別情報記憶部５５に登録する（ステップＳ１２５）。送信タイミングは図１５に示したものと同様である。
【００５９】
図１７に戻り、ビーコン別情報生成部５４によりビーコン別情報がビーコン別情報記憶部５５に登録されると、メンテナンス通信部５６は、メンテナンス結果記憶部５７の過去のメンテナンス結果を考慮し、ビーコン装置１毎に各サービスの送信形式、送信データおよび送信タイミングを送信する（ステップＳ１２６）。メンテナンス結果を考慮するとは、対象となるビーコン装置１について、どこまでのデータを送信して設定してあるかをメンテナンス結果から得ることにより、それとの差分を送信することを意味している。
【００６０】
ビーコン装置１のメンテナンス通信部１１は、ビーコン管理サーバ５から各サービスの送信形式、送信データおよび送信タイミングを受信すると、送信タイミング記憶部１２、送信形式記憶部１３および送信データ記憶部１４に受信したデータを設定する（ステップＳ１２７）。また、メンテナンス通信部１１は、必要に応じて、正常にデータの登録を行えたか否か等を応答する（ステップＳ１２８）。ビーコン管理サーバ５のメンテナンス通信部５６は、各ビーコン装置１に設定が完了したデータを特定する情報をメンテナンス結果としてメンテナンス結果記憶部５７に登録する（ステップＳ１２９）。
【００６１】
一方、上記の処理と並行して、ビーコン装置１のビーコン受信部１６１は外部から到来するビーコンを受信し、受信したビーコンの受信タイミング、受信形式および受信データを取得する（ステップＳ１３０）。次いで、固定ビーコン判定部１６２は、受信されたビーコンが固定局から送信されたものであるか否かを判定し、固定局から送信されたものであると判定した場合、ビーコンの受信タイミング、受信形式および受信データを干渉情報として受信タイミング記憶部１６３、受信形式記憶部１６４および受信データ記憶部１６５に登録する（ステップＳ１３１）。なお、外部から到来するビーコンは、外部装置の精度によっては受信タイミングが変動するため、原則として最新の情報を有効なものとして扱う。
【００６２】
図１８は干渉情報の例を示す図であり、わかりやすくするためにビーコンサービス情報（図１２〜図１４）と同様の形式で示してあるが、受信タイミングと受信形式と受信データに対応する項目を任意の形式で保持することができる。なお、図１８では「チャンネル」の項目が追加されているが、図１２〜図１４に示したビーコンサービス情報にも「チャンネル」の項目を追加してもよい。
【００６３】
図１８（ａ）は、発信間隔が０．５秒でオフセットが−０．０２秒（０．４８秒、０．９８秒、・・に発生）のビーコンが受信された場合の例を示している。図１８（ｂ）は、図１８（ａ）と発信間隔とオフセットは同じであるが、チャンネルも特定された場合の例を示している。図１８（ｃ）は、図１８（ｂ）と発信間隔、オフセット、チャンネルは同じであり、更に出力形式が特定された場合の例を示している。なお、出力形式が「iBeacon」である場合、通常の使用（用途）では固定用として用いられる。
【００６４】
図１７に戻り、スケジュール生成部１６６は、所定のタイミングで、受信タイミング記憶部１６３および受信形式記憶部１６４を参照し、既にビーコン管理サーバ５から受信して送信タイミング記憶部１２等に登録されているスケジュールを修正（最終的に生成）する（ステップＳ１３２）。
【００６５】
図１９（ａ）は、図１５に示した送信タイミングのうち「受注No.」が「1001」の案件について抽出したものと、図１８（ａ）のビーコンによる干渉のタイミングを並べて示したものである。この例では、「受注No.」が「1001」の案件について、時間０．９８に白丸で示す位置に送信が予めスケジューリングされており、これが外部からのビーコンのタイミングと重複し、干渉による悪影響が考えられる。そのため、スケジュール生成部１６６は、白丸の位置から、他の案件と重複しない一つ前の黒丸の位置にタイミングを修正している。
【００６６】
図１９（ｂ）は、図１５に示した送信タイミングのうち「受注No.」が「1001」の案件について抽出したものと、図１８（ｂ）または（ｃ）のビーコンによる干渉のタイミングを並べて示したものである。この例では、「受注No.」が「1001」の案件について、時間０．９８に黒丸で示す位置に送信が予めスケジューリングされており、これが外部からのビーコンのタイミングと重複し、干渉による悪影響が考えられる。しかし、図１８（ｂ）または（ｃ）によればチャンネルが「３９」となっているため、その他のチャンネル、例えば「３７」が使える場合には、そのチャンネルを指定するだけで、タイミングの移動は不要となる。
【００６７】
図１７に戻り、その後の運用時において、ビーコン装置１のビーコン送信実行部１５は、送信タイミング記憶部１２の送信タイミング（修正された場合を含む）に基づき、送信形式記憶部１３の送信形式で、送信データ記憶部１４の送信データをビーコン信号として周囲に順次送信（発信）する（ステップＳ１３３）。
【００６８】
ビーコン装置１の周辺にいる移動端末４がビーコン信号を受信すると（ステップＳ１３４）、移動端末４に予め登録されているビーコン装置１である場合、ビーコン信号に含まれるデータが抽出されてビーコン利用アプリ４２に引き渡される（ステップＳ１３５）。
【００６９】
そして、ビーコン利用アプリ４２は、対応するコンテンツサーバ３に対してコンテンツを要求し（ステップＳ１３６）、コンテンツサーバ３はコンテンツを応答する（ステップＳ１３７）。
【００７０】
本実施形態では、干渉となる外部からのビーコンを受信したビーコン装置１においてスケジュールの修正をリアルタイムに行えるため、干渉による悪影響を低く抑えることができる。外部からのビーコンは外部装置の精度により送信タイミングが変動する可能性があり、変動が生じた場合にはスケジュールの修正をやりなおす必要があるが、ビーコン装置１においてスケジュールの修正をリアルタイムに行えることで対応が容易になる。
【００７１】
＜第３の実施形態＞
上述した第２の実施形態ではビーコンの送信タイミングの最終的な生成（修正）をビーコン装置１側で行う場合について説明したが、ビーコン装置１から干渉情報をビーコン管理サーバ５に送信することで、ビーコン管理サーバ５側で行うこともできる。本実施形態における、システム構成は図１に示したものと同様であり、コンテンツサーバ３および移動端末４の機能構成は図４および図５に示したものと同様である。また、各装置のハードウェア構成は図７〜図９に示したものと同様である。
【００７２】
図２０は第３の実施形態におけるビーコン装置１の機能構成例を示す図である。図２０において、ビーコン装置１は、メンテナンス通信部１１とビーコン送信実行部１５とビーコン受信部１６１と固定ビーコン判定部１６２とを備えている。
【００７３】
メンテナンス通信部１１は、ビーコン装置１側で取得した干渉情報をビーコン管理サーバ５に送信するとともに、所定のタイミングでビーコン管理サーバ５から複数のビーコンサービスに対応する複数のビーコン信号仕様の送信タイミング、送信形式および送信データを受信して登録する機能を有している。
【００７４】
ビーコン受信部１６１は、外部から到来するビーコンを受信し、受信したビーコンの受信タイミング、受信形式および受信データを取得する機能を有している。固定ビーコン判定部１６２は、受信されたビーコンが固定局から送信されたものであるか否かを判定し、固定局から送信されたものであると判定した場合、ビーコンの受信形式および受信データを干渉情報として受信タイミング記憶部１６３、受信形式記憶部１６４および受信データ記憶部１６５に登録する機能を有している。
【００７５】
図２１は第３の実施形態におけるビーコン管理サーバ５の機能構成例を示す図である。図２１において、ビーコン管理サーバ５は、情報管理部５１とビーコン別情報生成部５４とメンテナンス通信部５６とを備えている。情報管理部５１は、管理下にあるビーコン装置１の設置位置等を含むビーコン設置情報をビーコン設置情報記憶部５２に登録するとともに、受注したビーコンサービスの詳細情報（ビーコンサービス情報）をビーコンサービス情報記憶部５３に登録する機能を有している。この実施形態では、ビーコンサービス情報記憶部５３に、ビーコン装置１側から受信した干渉情報も登録するようにしている。
【００７６】
ビーコン別情報生成部５４は、ビーコン設置情報記憶部５２に登録されているビーコン設置情報とビーコンサービス情報記憶部５３に登録されているビーコンサービス情報（干渉情報も含む）とに基づいて、ビーコン装置１毎に設定情報（ビーコン別情報）を生成し、ビーコン別情報記憶部５５に登録する機能を有している。メンテナンス通信部５６は、ビーコン装置１から干渉情報を受信してビーコンサービス情報記憶部５３に登録するとともに、ビーコン別情報記憶部５５に登録されたビーコン別情報に基づいてビーコン装置１に対して設定を行う機能を有している。また、メンテナンス通信部５６は、メンテナンス通信の結果をメンテナンス結果記憶部５７に登録する。
【００７７】
図２２は第３の実施形態の処理例を示すシーケンス図である。図２２において、ビーコン管理サーバ５の運用者は、運用の初期時点または新規にビーコン装置１を設置した時点で、ビーコン管理サーバ５に対してビーコン設置情報の登録操作を行う（ステップＳ１４１）。ビーコン管理サーバ５の情報管理部５１は、ビーコン設置情報の登録操作を受け付け、ビーコン設置情報記憶部５２にビーコン設置情報を登録する（ステップＳ１４２）。ビーコン設置情報は図１１に示したものと同様である。
【００７８】
図２２に戻り、ビーコン管理サーバ５の運用者は、ビーコンサービスの受注をとりまとめる時点で、ビーコン管理サーバ５に対してビーコンサービス情報の登録操作を行う（ステップＳ１４３）。ビーコン管理サーバ５の情報管理部５１は、ビーコンサービス情報の登録操作を受け付け、ビーコンサービス情報記憶部５３にビーコンサービス情報を登録する（ステップＳ１４４）。ビーコンサービス情報は図１２〜図１４に示したものと同様である。干渉情報は、図１８に示したような形式である。
【００７９】
図２２に戻り、ビーコン装置１のビーコン受信部１６１は外部から到来するビーコンを受信し、受信したビーコンの受信タイミング、受信形式および受信データを取得する（ステップＳ１４５）。次いで、固定ビーコン判定部１６２は、受信されたビーコンが固定局から送信されたものであるか否かを判定し、固定局から送信されたものであると判定した場合、ビーコンの受信タイミング、受信形式および受信データを干渉情報として受信タイミング記憶部１６３、受信形式記憶部１６４および受信データ記憶部１６５に登録する（ステップＳ１４６）。そして、メンテナンス通信部１１を介して、ビーコンの受信タイミング、受信形式および受信データを干渉情報としてビーコン管理サーバ５に送信する（ステップＳ１４７）。ビーコン管理サーバ５のメンテナンス通信部５６は受信した干渉情報をビーコンサービス情報記憶部５３に登録する（ステップＳ１４８）。
【００８０】
ビーコン管理サーバ５のビーコン別情報生成部５４は、所定のタイミングで、ビーコン装置１毎にビーコンサービス情報から各サービスの送信形式および送信データを抽出し、送信タイミングを生成（スケジューリング）してビーコン別情報記憶部５５に登録する（ステップＳ１４９）。ここでの送信タイミングの生成では、図１８で示したように、干渉となる外部からのビーコンと重複しないようにタイミングを設定し、または、チャンネルの変更により対応できる場合はチャンネルの指定を伴う。なお、考慮する干渉については、スケジューリングの対象となるビーコン装置１から通知を受けたものとすればよいが、設置場所の情報（図１１）から近傍に設置されたビーコン装置１から通知を受けた干渉についても考慮するようにしてもよい。送信タイミングは図１５に示したものと同様である。
【００８１】
図２２に戻り、ビーコン別情報生成部５４によりビーコン別情報がビーコン別情報記憶部５５に登録されると、メンテナンス通信部５６は、メンテナンス結果記憶部５７の過去のメンテナンス結果を考慮し、ビーコン装置１毎に各サービスの送信形式、送信データおよび送信タイミングを送信する（ステップＳ１５０）。
【００８２】
ビーコン装置１のメンテナンス通信部１１は、ビーコン管理サーバ５から各サービスの送信形式、送信データおよび送信タイミングを受信すると、送信タイミング記憶部１２、送信形式記憶部１３および送信データ記憶部１４に受信したデータを設定する（ステップＳ１５１）。また、メンテナンス通信部１１は、必要に応じて、正常にデータの登録を行えたか否か等を応答する（ステップＳ１５２）。
【００８３】
ビーコン管理サーバ５のメンテナンス通信部５６は、各ビーコン装置１に設定が完了したデータを特定する情報をメンテナンス結果としてメンテナンス結果記憶部５７に登録する（ステップＳ１５３）。
【００８４】
その後、運用時において、ビーコン装置１のビーコン送信実行部１５は、送信タイミング記憶部１２の送信タイミングに基づき、送信形式記憶部１３の送信形式で、送信データ記憶部１４の送信データをビーコン信号として周囲に順次送信（発信）する（ステップＳ１５４）。
【００８５】
ビーコン装置１の周辺にいる移動端末４がビーコン信号を受信すると（ステップＳ１５５）、移動端末４に予め登録されているビーコン装置１である場合、ビーコン信号に含まれるデータが抽出されてビーコン利用アプリ４２に引き渡される（ステップＳ１５６）。
【００８６】
そして、ビーコン利用アプリ４２は、対応するコンテンツサーバ３に対してコンテンツを要求し（ステップＳ１５７）、コンテンツサーバ３はコンテンツを応答する（ステップＳ１５８）。
【００８７】
＜総括＞
以上説明したように、本実施形態によれば、１つの場所につき１つのビーコン装置により複数のサービスのビーコン信号の発信を運用することができる。
【００８８】
また、システム上、ビーコン管理サーバ５は必須ではなく、ビーコン管理サーバ５の機能をビーコン装置１が担う構成にしてもよい。
【００８９】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００９０】
＜実施形態の用語と請求項の用語の対応＞
送信タイミング記憶部１２、送信形式記憶部１３および送信データ記憶部１４は「記憶部」の一例である。メンテナンス通信部１１は「登録部」の一例である。ビーコン送信実行部１５は「送信実行部」の一例である。
【符号の説明】
【００９１】
１、１Ａ〜１Ｃ      ビーコン装置
１１                メンテナンス通信部
１２                送信タイミング記憶部
１３                送信形式記憶部
１４                送信データ記憶部
１５                ビーコン送信実行部
１６１              ビーコン受信部
１６２              固定ビーコン判定部
１６３              受信タイミング記憶部
１６４              受信形式記憶部
１６５              受信データ記憶部
１６６              スケジュール生成部
２                  ネットワーク
３、３Ａ〜３Ｃ      コンテンツサーバ
３１                コンテンツ提供部
３２                コンテンツＤＢ
４、４Ａ、４Ｂ      移動端末
４１                ビーコン受信部
４２                ビーコン利用アプリ
５                  ビーコン管理サーバ
５１                情報管理部
５２                ビーコン設置情報記憶部
５３                ビーコンサービス情報記憶部
５４                ビーコン別情報生成部
５５                ビーコン別情報記憶部
５６                メンテナンス通信部
５７                メンテナンス結果記憶部
【先行技術文献】
【特許文献】
【００９２】
【特許文献１】特開２０１５−１４３６３１号公報
【図１】
2017194443.tif 000003
【図２】
2017194443.tif 000004
【図３】
2017194443.tif 000005
【図４】
2017194443.tif 000006
【図５】
2017194443.tif 000007
【図６】
2017194443.tif 000008
【図７】
2017194443.tif 000009
【図８】
2017194443.tif 000010
【図９】
2017194443.tif 000011
【図１０】
2017194443.tif 000012
【図１１】
2017194443.tif 000013
【図１２】
2017194443.tif 000014
【図１３】
2017194443.tif 000015
【図１４】
2017194443.tif 000016
【図１５】
2017194443.tif 000017
【図１６】
2017194443.tif 000018
【図１７】
2017194443.tif 000019
【図１８】
2017194443.tif 000020
【図１９】
2017194443.tif 000021
【図２０】
2017194443.tif 000022
【図２１】
2017194443.tif 000023
【図２２】
2017194443.tif 000024